(57)【要約】【課題】引出型電子レンジ及びその開閉扉制御方法を提供する。【解決手段】引出型電子レンジ（２００）及び引出型電子レンジ（２００）の開閉扉制御方法であり、引出型電子レンジ（２００）は、キャビティアセンブリと、キャビティアセンブリの内部に設けられ、被加工食材を収容する引出アセンブリと、キャビティアセンブリ内の底部に設けられ、引出アセンブリとキャビティアセンブリを分離または合併させるように引出アセンブリを押動するプッシュアセンブリ（２０６２）と、キャビティアセンブリに設けられ、引出アセンブリの開閉を制御可能な「開／閉」ボタンが設けられる制御パネル（２２０）と、プッシュアセンブリ（２０６２）及び／又は制御パネル（２２０）に繋がれ、制御パネル（２２０）からの指令に応じて、プッシュアセンブリ（２０６２）の稼働状態を制御するマイクロプロセッサ（２０２）とを含む。一つのボタンにより引出型電子レンジ（２００）による自動開閉を制御することができるとともに、引出（２０４４）が進行中にあると、ボタンを押すことで緊急制動の作用を果たすことができ、一つのボタンだけで複数種類の操作が実現され、操作が簡単になり、使用も安全である。【選択図】図２
2019529858.tif 000002
【特許請求の範囲】
【請求項１】
キャビティアセンブリと、
前記キャビティアセンブリの内部に設けられ、被加工食材を収容する引出アセンブリと、
前記キャビティアセンブリ内の底部に設けられ、前記引出アセンブリと前記キャビティアセンブリを分離または合併させるように前記引出アセンブリを押動可能なプッシュアセンブリと、
前記キャビティアセンブリに設けられ、前記引出アセンブリの開閉を制御するための開閉ボタンが設けられる制御パネルと、
前記キャビティアセンブリの内部に設けられ、前記制御パネルからの指令に応じて前記プッシュアセンブリの稼働状態を制御するマイクロプロセッサと、を含むことを特徴とする引出型電子レンジ。
【請求項２】
前記引出アセンブリは、
上面が前記制御パネルの下面に平行な引出扉体と、
前記被加工食材を盛り付けて処理する引出と、
前記引出扉体の後側に設けられ、前記被加工食材を処理する時、前記引出アセンブリが弾き出ないようにする少なくとも一つのフックと、
前記引出扉体に繋がれ、前記引出を引き出したり元の位置に戻したりする時、設定した軌跡に沿って移動する接続板と、を含むことを特徴とする請求項１に記載の引出型電子レンジ。
【請求項３】
前記引出扉体は、
前記被加工食材の調理状態を表すための透明窓と、
前記引出を手動で引き出したり、手動で前記引出の位置を復帰させたりする引手とをさらに含むことを特徴とする請求項２に記載の引出型電子レンジ。
【請求項４】
前記プッシュアセンブリは、
前記引出扉体に繋がれるプッシュと、
前記マイクロプロセッサによる制御にて、前記引出を駆動するモータと、
前記キャビティアセンブリ内の底部に設けられ、前記モータ及び前記プッシュに繋がれ、モータによる駆動にて、プッシュを駆動するプッシュ器とを含むことを特徴とする請求項１に記載の引出型電子レンジ。
【請求項５】
前記キャビティアセンブリは、
前記被加工食材を処理するマイクロ波を発生するマグネトロンと、
前記キャビティアセンブリ内の頂部に位置し、前記マグネトロンに繋がれ、超高周波電磁波を伝送する導波管と、
前記マグネトロンに対して強制的に空冷放熱をさせて、前記マグネトロンの過熱による損傷を防止するファンアセンブリとを含むことを特徴とする請求項１に記載の引出型電子レンジ。
【請求項６】
前記キャビティアセンブリは、
前記引出を収容するキャビティと、
前記接続板を介して前記引出扉体に繋がれ、前記引出を引き出したり元の位置に戻したりする時の経路を提供するレールと、
前記キャビティに設けられ、前記少なくとも一つのフックと一対一で対応する少なくとも一つのインターロックブラケットと、
前記引出の底部に設けられ、前記引出アセンブリの開度を制限する少なくとも一つのストッパと、
前記マイクロプロセッサに繋がれ、前記引出アセンブリが最も大きい程度まで開けられた時、第１微動スイッチがオンされて、信号を前記マイクロプロセッサにフィードバックする前記第１微動スイッチと、
前記マイクロプロセッサに繋がれ、前記フックが前記インターロックブラケットに締結される時、第２微動スイッチがオンされて、信号を前記マイクロプロセッサにフィードバックする前記第２微動スイッチとをさらに含むことを特徴とする請求項１乃至５のいずれか１項に記載の引出型電子レンジ。
【請求項７】
指定信号を受信した後に、第１微動スイッチと第２微動スイッチの開閉状態に応じて、この時の前記引出型電子レンジにおける引出アセンブリの開閉状態を検出するステップ１０２と、
前記引出アセンブリの開閉状態に応じて、前記引出アセンブリを開閉するステップ１０４とを含むことを特徴とする引出型電子レンジの開閉扉制御方法。
【請求項８】
前記ステップ１０２は、
前記第１微動スイッチが閉状態にある場合、前記引出アセンブリはこの時最も大きい開状態にあることと、
前記第２微動スイッチが閉状態にある場合、前記引出アセンブリはこの時閉状態にあることと、
前記第１微動スイッチ及び前記第２微動スイッチが両方とも開状態にある場合、前記引出アセンブリはこの時開状態にあるが、最も大きい程度まで開けられていないこととをさらに含むことを特徴とする請求項７に記載の引出型電子レンジの開閉扉制御方法。
【請求項９】
前記ステップ１０４は、
前記引出アセンブリがこの時最も大きい開状態にある場合、前記引出アセンブリを閉じることと、
前記引出アセンブリがこの時閉状態にある場合、前記引出アセンブリを最も大きい程度まで開けることと、
前記引出アセンブリがこの時開状態にあるが、最も大きい程度まで開けられていない場合、前記引出アセンブリを最も大きい程度まで開けることとをさらに含むことを特徴とする請求項７に記載の引出型電子レンジの開閉扉制御方法。
【請求項１０】
前記引出アセンブリが運動中に前記指定信号を受信すると、前記引出アセンブリが直ちに動きを止めることをさらに含むことを特徴とする請求項７乃至９のいずれか１項に記載の引出型電子レンジの開閉扉制御方法。
【発明の詳細な説明】
【技術分野】
【０００１】
本願は、２０１６年９月１８日に中国特許庁に出願された、出願番号が２０１６１０８３０２５６．４、発明の名称が「引出型電子レンジ及びその開閉扉制御方法」である中国特許出願に基づき優先権を主張し、その内容の全てを引用することにより本願に取り入れる。
【０００２】
本発明は、調理電器分野に関し、具体的には、引出型電子レンジ及び引出型電子レンジの開閉扉制御方法に関する。
【背景技術】
【０００３】
関連技術では、引出型電子レンジは、一般的に手動の方式で扉の開閉を制御し、ユーザが注意を払わないと手を挟むことがあり、これはユーザの使用体験に影響を与えながら、ユーザの安全にも一定の影響を与える。また、従来の引出型電子レンジが扉の開閉を電気的に制御する場合、一般的には、２つのボタンによりそれぞれ引出の自動開閉を制御する。一方、上記の技術案を採用する場合、２つのボタンが同時に存在しているので、２つのボタンの位置を占有する必要があるとともに、電子レンジ機能を拡張する時、限存のボタンが不十分であり、ボタンの数を増やす必要があるため、非常に不便であり、同時に２つのボタンが共に存在しているため、産業設計及び外観設計の自由性も制限されてしまう。
【発明の概要】
【発明が解決しようとする課題】
【０００４】
本発明は、少なくとも従来技術又は関連技術における技術問題の一つを解决することを目的とする。
【０００５】
そこで、本発明の一つの目的は、引出型電子レンジを提供する。
【０００６】
本発明のもう一つの目的は、引出型電子レンジの開閉扉制御方法を提供する。
【課題を解決するための手段】
【０００７】
上記の目的を達成するために、本発明に係る第１態様における実施例によれば、キャビティアセンブリと、キャビティアセンブリの内部に設けられ、被加工食材を収容する引出アセンブリと、キャビティアセンブリ内の底部に設けられ、引出アセンブリとキャビティアセンブリを分離または合併させるように引出アセンブリを押動可能なプッシュアセンブリと、キャビティアセンブリに設けられ、引出アセンブリの開閉を制御するための「開／閉」ボタンが設けられる制御パネルと、キャビティアセンブリの内部に設けられ、プッシュアセンブリ及び／又は制御パネルに繋がれ、制御パネルからの指令に応じてプッシュアセンブリの稼働状態を制御するマイクロプロセッサとを含む引出型電子レンジを提供する。
【０００８】
本発明に係る実施例における引出型電子レンジは、キャビティアセンブリの内部には、引出アセンブリとキャビティアセンブリを分離または合併させるように、引出アセンブリを押動するプッシュアセンブリが設けられるとともに、マイクロプロセッサに繋がれる制御パネルも設けられる一方、ユーザが一つのボタンだけを操作することで、自動開閉の機能も実現される。一方で、ユーザの安全を保証するために引出アセンブリを開閉する過程中において、もしユーザが直ちに停止したい場合、ボタンだけを押すことで、引出アセンブリの操作を停止させる制御が実現される。
【０００９】
そのうち、制御パネルは、ユーザの異なるニーズに応じて複数の機能を設定することもでき、異なる調理方式を選択して被加工食材を調理したり加工したりする機能が実現される。マイクロプロセッサは、制御パネルから得られた指令に応じて、プッシュアセンブリの稼働状態を制御して、マイクロプロセッサが現在の引出アセンブリの位置情報を自動的に分析するとともに、プッシュアセンブリにより引出アセンブリに対する開閉を制御しており、指令を得た後、制御の全般にユーザの手動操作が要らず、操作の自動化によりユーザが不正確な操作によって怪我をする可能性を低減させる。
【００１０】
本発明に係る一実施例によれば、好ましくは、引出アセンブリは、上面が制御パネルの下面に平行な引出扉体と、被加工食材を盛り付けて処理する引出と、引出扉体の後側に設けられ、被加工食材を処理する時、引出アセンブリが弾き出ないようにする少なくとも一つのフックと、前記引出扉体に繋がれ、前記引出を引き出したり元の位置に戻したりする時、設定した軌跡に沿って移動する接続板とを含む。
【００１１】
上記実施例において、引出扉体の後側には少なくとも一つのフックが設けられ、引出型電子レンジが被加工食材を加工する時、引出アセンブリが弾き出される可能性が低下するとともに、引出扉体の後側には引出扉体に繋がれる接続板も設けられ、引出を引き出したり元の位置に戻したりする時、移動の軌跡及び移動の長さを制限することができ、ユーザがボタンを押した後に引出の伸び量に注意しないことによって怪我をする可能性が低下し、ユーザの体験性及び使用の安全性をさらに向上させる。
【００１２】
本発明に係る一実施例によれば、引出扉体は、被加工食材の調理状態を表すための透明窓と、引出を手動で引き出したり、手動で引出の位置を復帰させたりする引手とをさらに含む。
【００１３】
上記実施例において、引出扉体には食材の調理状態を表す透明窓が設けられ、ユーザが透明窓を介してこの時の食材の調理状態を観察することで選択をすることができる。例えば、ユーザが解凍機能を選択したが、食材解凍に必要な時間が分からない場合に５分を選択し、３分間解凍機能を実行した時、ユーザが透明窓を通して食材が既に全部解凍されたことを確認した場合、解凍動作を停止させて食材に対して後続の処理をすることができる。また、使用中において、突然の停電の場合、ユーザが引手で引出扉体を開けて、被加工食材を取り出すことで、機能の多様性が実現される。
【００１４】
本発明に係る一実施例によれば、プッシュアセンブリは、引出扉体に繋がれるプッシュと、マイクロプロセッサによる制御にて、引出を駆動するモータと、キャビティアセンブリ内の底部に設けられ、モータ及びプッシュに繋がれ、モータによる駆動にて、プッシュを駆動するプッシュ器とを含む。
【００１５】
上記実施例において、マイクロプロセッサが制御パネル信号を取得することで、モータの正転又は反転を制御しており、プッシュ器内部は伝動装置により組成されるので、モータの円周運動をプッシュの直線運動に変換し、即ちモータの正転を制御することでプッシュを押し出すことができ、引出を押し出すことで、引出アセンブリを開けることが実現される。同様に、モータの反転を制御することで、プッシュを退避させることができ、引出を退避させることで、引出アセンブリを閉じることが実現される。当業者であれば、ここでモータの正転及び反転はそれぞれプッシュを押し出したり退避させたりする操作を実現することを限定するものではないとともに、伝動装置はウォーム・ギヤによる伝動により実現されることができるが、これに限られないことを理解する。
【００１６】
本発明における上記の実施例によれば、キャビティアセンブリは、被加工食材を処理するマイクロ波を発生するマグネトロンと、キャビティアセンブリ内の頂部に位置し、マグネトロンに繋がれ、超高周波電磁波を伝送する導波管と、マグネトロンに対して強制的に空冷放熱をさせて、マグネトロンの過熱による損傷を防止するファンアセンブリとを含む。
【００１７】
上記実施例において、キャビティアセンブリ内部の頂部には、マグネトロンに繋がれる導波管が設けられ、マグネトロンは、自体のカソード及びアノードにより電子と高周波電磁界が互いに作用する空間を形成しており、ここで空間にマイクロ波が発生され、導波管が発生したマイクロ波をキャビティに伝送することで被加工食材に吸收され、加熱や解凍等の機能が実現される。同時に、マグネトロンがマイクロ波を発生するとともに大量の熱も発生するので、ファンアセンブリを設けることで、マグネトロンの使用寿命を延長させ、稼働においてそれに対して強制的に空冷放熱をさせて、マグネトロン動作の安定性を維持して、過度な熱により放熱できずマグネトロンを損傷する可能性を減らす。
【００１８】
本発明における上記の実施例によれば、前記キャビティアセンブリは、引出を収容するキャビティと、接続板を介して引出扉体に繋がれ、引出を引き出したり元の位置に戻したりする時の経路を提供するレールと、キャビティに設けられ、少なくとも一つのフックと一対一で対応する少なくとも一つのインターロックブラケットと、引出の底部に設けられ、引出アセンブリの開度を制限する少なくとも一つのストッパと、マイクロプロセッサに繋がれ、引出アセンブリが最も大きい程度まで開けられた時、第１微動スイッチがオンされて、信号をマイクロプロセッサにフィードバックする第１微動スイッチと、マイクロプロセッサに繋がれ、フックがインターロックブラケットに締結される時、第２微動スイッチがオンされて、信号をマイクロプロセッサにフィードバックする第２微動スイッチとをさらに含む。
【００１９】
上記実施例において、接続板を介して引出扉体に繋がれるレールは、引出が引き出されたり退避させられたりする経路を提供するとともに、引出底部には少なくとも一つのストッパも設けられ、引出アセンブリが引き出される最も大きい長さを制限することができ、引出が引き出される時ユーザが怪我をすることを減らす一方、引出底部の両側にはそれぞれ一つのストッパを設けることができ、引出がレールに沿って最も大きい程度に引き出された時、自体の両側の移動の同一性を保持することができ、引出が引き出された時、一辺が長く、一辺が短くなることが発生する可能性を減らす。
【００２０】
また、第１微動スイッチ及び第２微動スイッチも設けられ、第１微動スイッチは検出スイッチをオフするものと見なされ、引出アセンブリが最大ストロークまで引き出された時、ストッパがインターロックブラケットに設けられた第１微動スイッチに当たり、この時第１微動スイッチがオンされ、オン信号をマイクロプロセッサに送信して、マイクロプロセッサはこの時引出アセンブリが最も大きい開状態にあると判断する。
【００２１】
第２微動スイッチは検出スイッチをオンするものと見なされ、引出アセンブリが閉められた時、フックがインターロックブラケットに嵌合するとともに、第２微動スイッチをトリガして、この時第２微動スイッチがオンされ、オン信号をマイクロプロセッサに送信して、マイクロプロセッサはこの時引出アセンブリが閉状態にあると判断する。
【００２２】
また、第２微動スイッチは引出が閉じたことを検出するために設けられた専用の微動スイッチであり、共通引出型電子レンジ自体の１次インターロックスイッチ、２次インターロックスイッチ、又は監視スイッチ等を含むことができる。
【００２３】
本発明の第２態様における実施例は、指定信号を受信した後に、第１微動スイッチと第２微動スイッチの開閉状態に応じて、この時の引出型電子レンジにおける引出アセンブリの開閉状態を検出するステップ１０２と、引出アセンブリの開閉状態に応じて、引出アセンブリを開閉するステップ１０４とを含む引出型電子レンジの開閉扉制御方法を提供する。
【００２４】
上記実施例において、ユーザが制御パネルに位置するボタンをタッチした後、マイクロプロセッサがこの時の第１微動スイッチと第２微動スイッチの開閉状態を検出することで、この時の二つの微動スイッチの状態を分析して、プッシュアセンブリにより引出を押し出したり退避させたりする操作を制御する。
【００２５】
本発明の第２態様における実施例によれば、ステップ１０２は、第１微動スイッチが閉状態にある場合、引出アセンブリはこの時最も大きい開状態にあることと、第２微動スイッチが閉状態にある場合、引出アセンブリはこの時閉状態にあることと、第１微動スイッチ及び第２微動スイッチが両方とも開状態にある場合、引出アセンブリはこの時開状態にあるが、最も大きい程度まで開けられていないこととをさらに含む。
【００２６】
本発明の第２態様における実施例によれば、ステップ１０４は、引出アセンブリがこの時最も大きい開状態にある場合、引出アセンブリを閉じることと、引出アセンブリがこの時閉状態にある場合、引出アセンブリを最も大きい程度まで開けることと、引出アセンブリがこの時開状態にあるが、最も大きい程度まで開けられていない場合、引出アセンブリを最も大きい程度まで開けることとをさらに含む。
【００２７】
具体的には、状態過程に対する分析及び判断操作を表１に示す。
【００２８】
【表１】
2019529858.tif 000003
【００２９】
本発明の第２態様における実施例によれば、引出型電子レンジの開閉扉制御方法は、前記引出アセンブリが運動中に前記指定信号を受信すると、前記引出アセンブリが直ちに動きを止めることをさらに含む。
【００３０】
上記実施例において、使用中において、引出アセンブリによる運動過程において、ユーザは以前に入れた食材が間違っていることに気付いた時、ボタンを押すことができ、マイクロコントローラは現在の引出がまだ稼働していると判断するとともに、第１微動スイッチ及び第２微動スイッチがタッチされていなく、直ちに稼働を停止させるようにプッシュアセンブリを制御して、次の指令を待つ。従って、ユーザ体験もユーザ使用の安全性も強化される。
【００３１】
本発明の他の態様やメリットは、以下の説明によって明確になり、又は本発明を実践することで理解できる。
【図面の簡単な説明】
【００３２】
本発明の上記及び／又は他の態様やメリットは、以下の図面を参照した実施例の説明から明確になり、容易に理解することができる。
【図１】本発明に係る実施例における引出型電子レンジの外部を示す概略図。
【図２】本発明に係る実施例における引出型電子レンジの内部を示す概略図。
【図３】本発明に係る引出型電子レンジの実施例１を示す概略図。
【図４】本発明に係る引出型電子レンジの実施例２を示す概略図。
【図５】本発明に係る第２態様における実施例の判断を示す概略フロー図。
【発明を実施するための形態】
【００３３】
本発明の上記の目的、特徴及び利点をより明確に理解するために、以下に図面及び具体的な実施の形態を合わせて本発明をさらに詳しく述べる。なお、矛盾のない限り、本願の実施例と実施例における特徴を互いに組み合わせることができる。
【００３４】
以下の説明では、本発明を十分に理解するために、多数の具体的な詳細を述べるが、本発明はここで述べた形態と異なる形態で実施することもできる。従って、本発明の保護範囲は、以下に開示される具体的な実施例によって限定されるものではない。
【００３５】
本発明に係る実施例における引出型電子レンジ２００及びその開閉扉制御方法を、以下に図１乃至図５を参照して具体的に説明する。
【００３６】
図１乃至図４に示すように、本発明に係る実施例における引出型電子レンジ２００は、キャビティアセンブリと、キャビティアセンブリの内部に設けられ、被加工食材を収容する引出アセンブリと、キャビティアセンブリ内の底部に設けられ、引出アセンブリとキャビティアセンブリを分離または合併させるように引出アセンブリを押動するプッシュアセンブリ２０６２と、キャビティアセンブリに設けられ、引出アセンブリの開閉を制御可能な「開／閉」ボタンが設けられる制御パネル２２０と、キャビティアセンブリ内部に設けられ、プッシュアセンブリ２０６２及び／又は制御パネル２２０に繋がれ、制御パネル２２０の指令に応じてプッシュアセンブリ２０６２の稼働状態を制御するマイクロプロセッサ２０２とを含む。
【００３７】
本発明に係る実施例における引出型電子レンジ２００は、キャビティアセンブリの内部には、引出アセンブリとキャビティアセンブリを分離または合併させるように、引出アセンブリを押動するプッシュアセンブリ２０６２が設けられるとともに、マイクロプロセッサ２０２に繋がれる制御パネル２２０も設けられる一方、ユーザが一つのボタンだけを操作することで、自動開閉の機能も実現される。一方で、ユーザの安全を保証するために引出アセンブリを開閉する過程中において、もしユーザが直ちに停止したい場合、ボタンだけを押すことで、引出アセンブリの操作を停止させる制御が実現される。
【００３８】
また、制御パネル２２０は、ユーザの異なるニーズに応じて複数の機能を設定することもでき、異なる調理方式を選択して被加工食材を調理したり加工したりする機能が実現される。マイクロプロセッサ２０２は、制御パネル２２０から得られた指令に応じて、プッシュアセンブリ２０６２の稼働状態を制御して、マイクロプロセッサ２０２が現在の引出アセンブリの位置情報を自動的に分析するとともに、プッシュアセンブリ２０６２により引出アセンブリに対する開閉を制御しており、指令を得た後、制御の全般にユーザの手動操作が要らず、操作の自動化によりユーザが不正確な操作によって怪我をする可能性が低減される。
【００３９】
図２乃至図４に示すように、本発明における第１態様における実施例は、以下の実施例をさらに含むことができる。
【００４０】
図２に示すように、本発明に係る一実施例によれば、好ましくは、引出アセンブリは、上面が制御パネル２２０の下面に平行な引出扉体２０４２と、被加工食材を盛り付けて処理する引出２０４４と、引出扉体２０４２の後側に設けられ、被加工食材を処理する時、引出アセンブリが弾き出ないようにする少なくとも一つのフック２０４６と、前記引出扉体２０４２に繋がれ、前記引出２０４４を引き出したり元の位置に戻したりする時、設定した軌跡に沿って移動する接続板２０４８とを含む。
【００４１】
この実施例において、引出扉体２０４２の後側には少なくとも一つのフック２０４６が設けられ、引出型電子レンジ２００が被加工食材を加工する時、引出アセンブリが弾き出される可能性が低下するとともに、引出扉体２０４２に繋がれる接続板２０４８も設けられ、引出２０４４を引き出したり元の位置に戻したりする時、移動の軌跡及び移動の長さを制限することができ、ユーザがボタンを押した後、引出２０４４の伸び量に注意しないことによって怪我をする可能性が低下し、ユーザの体験性及び使用の安全性をさらに向上させる。
【００４２】
本発明に係る一実施例によれば、引出扉体２０４２は、被加工食材の調理状態を表す透明窓２０４２２と、引出２０４４を手動で引き出したり、手動で引出２０４４の位置を戻したりする引手２０４２４とをさらに含む。
【００４３】
上記実施例において、引出扉体２０４２には食材の調理状態を表す透明窓２０４２２が設けられ、ユーザがこの透明窓２０４２２を介してこの時の食材の調理状態を観察することで選択をすることができる。例えば、ユーザが解凍機能を選択したが、食材解凍に必要な時間が分からない場合に５分を選択して、３分間解凍機能を実行した時、ユーザが透明窓２０４２２を通じて食材が既に全部解凍されたことを確認した場合に、解凍動作を停止させて食材に対して後続の処理をすることができる。また、使用中において、突然の停電の場合、ユーザが引手２０４２４で引出扉体２０４２を開けて、被加工食材を取り出すことで、機能の多様性が実現される。
【００４４】
本発明に係る一実施例によれば、プッシュアセンブリ２０６２は、引出扉体２０４２に繋がれるプッシュ２０６２と、マイクロプロセッサ２０２による制御にて、引出２０４４を駆動するモータ２０６４と、キャビティアセンブリ内の底部に設けられ、モータ２０６４及びプッシュ２０６２に繋がれ、モータ２０６４による駆動にて、プッシュ２０６２を駆動するプッシュ器２０６６とを含む。
【００４５】
上記実施例において、マイクロプロセッサ２０２が制御パネル２２０の信号を取得することで、モータ２０６４の正転又は反転を制御しており、プッシュ器２０６６内部は伝動装置により組成されるので、モータ２０６４の円周運動をプッシュ２０６２の直線運動に変換し、即ちモータ２０６４の正転を制御することで、プッシュ２０６２を押し出すことができ、引出２０４４を押し出すことで、引出アセンブリを開けることが実現される。同様に、モータ２０６４の反転を制御することで、プッシュ２０６２を退避させることができ、引出２０４４を退避させることで、引出アセンブリを閉じることが実現される。当業者であれば、ここでモータ２０６４の正転及び反転はそれぞれプッシュ２０６２を押し出したり退避させたりする操作を実現することを限定するものではないとともに、伝動装置はウォーム・ギヤによる伝動により実現することができるが、これに限られないことを理解する。
【００４６】
本発明に係る一実施例によれば、キャビティアセンブリは、被加工食材を処理するマイクロ波を発生するマグネトロン２０８２と、キャビティアセンブリ内の頂部に位置しマグネトロン２０８２に繋がれ、超高周波電磁波を伝送する導波管２０８４と、マグネトロン２０８２に対して強制的に空冷放熱をさせてマグネトロン２０８２の過熱による損傷を防止するファンアセンブリ２０８６とを含む。
【００４７】
上記実施例において、キャビティアセンブリ内部の頂部にはマグネトロン２０８２に繋がれる導波管２０８４が設けられ、マグネトロン２０８２は自体のカソード及びアノードにより電子と高周波電磁界が互いに作用する空間を形成しており、ここで空間にマイクロ波が発生され、導波管２０８４が発生したマイクロ波をキャビティ２０８８に伝送することで被加工食材に吸收され、加熱や解凍等の機能が実現される。同時に、マグネトロン２０８２がマイクロ波を発生するとともに大量の熱も発生したので、ファンアセンブリ２０８６も設けられることで、マグネトロン２０８２の使用寿命を延長させ、稼働においてそれに対して強制的に空冷放熱をさせて、マグネトロン２０８２の動作の安定性を維持して、過度な熱により放熱できずマグネトロン２０８２が損傷する可能性を減らす。
【００４８】
本発明における上記の実施例によれば、前記キャビティアセンブリは、引出２０４４を収容するキャビティ２０８８と、接続板２０４８を介して引出扉体２０４２に繋がれ、引出２０４４を引き出したり元の位置に戻したりする時の経路を提供するレール２１０６と、キャビティ２０８８に設けられ、少なくとも一つのフック２０４６と一対一で対応する少なくとも一つのインターロックブラケット２１０４と、引出２０４４の底部に設けられ、引出アセンブリの開度を制限する少なくとも一つのストッパ２１０２と、マイクロプロセッサ２０２に繋がれ、引出アセンブリが最も大きい程度まで開けられた時、第１微動スイッチ２１０８がオンされて信号をマイクロプロセッサ２０２にフィードバックする前記第１微動スイッチ２１０８と、マイクロプロセッサ２０２に繋がれ、フック２０４６がインターロックブラケット２１０４に締結される時、第２微動スイッチ２１１０がオンされて信号をマイクロプロセッサ２０２にフィードバックする前記第２微動スイッチ２１１０と、をさらに含む。
【００４９】
上記実施例において、接続板２０４８を介して引出扉体２０４２に繋がれるレール２１０６は、引出２０４４を引き出したり退避させたりする経路を提供するとともに、引出２０４４の底部には少なくとも一つのストッパ２１０２も設けられ、引出アセンブリが引き出される最も大きい長さを制限することができ、引出２０４４が引き出される時ユーザが怪我をすることを減らす一方、引出２０４４の底部の両側にはそれぞれ一つのストッパ２１０２を設けることができ、引出２０４４がレール２１０６に沿って最も大きい程度に引き出された時、自体の両側の移動の同一性を保持することができ、引出２０４４が引き出された時、一辺が長く、一辺が短くなることが発生する可能性を減らす。
【００５０】
図３及び図４に示すように、同時に、第１微動スイッチ２１０８及び第２微動スイッチ２１１０も設けられ、第１微動スイッチ２１０８は検出スイッチをオフするものと見なされ、引出アセンブリが最大ストロークまで引き出された時、ストッパ２１０２がインターロックブラケット２１０４に設けられた第１微動スイッチ２１０８に当たり、この時第１微動スイッチ２１０８がオンされ、オン信号をマイクロプロセッサ２０２に送信して、マイクロプロセッサ２０２はこの時引出アセンブリが最も大きい開状態にあると判断する。
【００５１】
第２微動スイッチ２１１０は検出スイッチをオンするものと見なされ、引出アセンブリが閉められた時、フック２０４６がインターロックブラケット２１０４に嵌合するとともに、第２微動スイッチ２１１０をトリガして、この時第２微動スイッチ２１１０がオンされ、オン信号をマイクロプロセッサ２０２に送信して、マイクロプロセッサ２０２はこの時引出アセンブリが閉状態にあると判断する。
【００５２】
そのうち、第２微動スイッチ２１１０は引出２０４４が閉じたことを検出するために設けられた専用の微動スイッチであり、共通引出型電子レンジ２００自体の１次インターロックスイッチ、２次インターロックスイッチ、又は監視スイッチ等を含むことができる。
【００５３】
図５に示すように、本発明の第２態様における実施例は、指定信号を受信した後、第１微動スイッチ２１０８と第２微動スイッチ２１１０の開閉状態に応じて、この時の引出型電子レンジ２００における引出アセンブリの開閉状態を検出するステップ１０２と、引出アセンブリの開閉状態に応じて、引出アセンブリを開閉するステップ１０４とを含む引出型電子レンジ２００の開閉扉制御方法を提供する。
【００５４】
この実施例において、ユーザが制御パネル２２０に位置するボタンをタッチした後、マイクロプロセッサ２０２がこの時の第１微動スイッチ２１０８と第２微動スイッチ２１１０の開閉状態を検出することで、この時の二つの微動スイッチの状態を分析して、プッシュアセンブリ２０６２により引出２０４４を押し出したり退避させたりする操作を制御する。
【００５５】
本発明の第２態様における実施例により、ステップ１０２は、第１微動スイッチ２１０８が閉状態にあると、この時引出アセンブリが最も大きい開状態にあることと、第２微動スイッチ２１１０が閉状態にあると、この時引出アセンブリが閉状態にあることと、第１微動スイッチ２１０８及び第２微動スイッチ２１１０が両方とも開状態にあると、この時引出アセンブリが開状態にあるが最も大きい程度まで開けられていないこととをさらに含む。
【００５６】
本発明の第２態様における実施例により、ステップ１０４は、この時引出アセンブリが最も大きい開状態にあると、引出アセンブリを閉じることと、この時引出アセンブリが閉状態にあると、引出アセンブリを最も大きい程度まで開けることと、この時引出アセンブリが開状態にあるが最も大きい程度まで開けられていないと、引出アセンブリを最も大きい程度まで開けることとをさらに含む。
【００５７】
具体的には、状態過程に対する分析及び判断操作を表２に示す。
【００５８】
【表２】
2019529858.tif 000004
【００５９】
本発明の第２態様における実施例により、引出型電子レンジ２００の開閉扉制御方法は、前記引出アセンブリが運動中に前記指定信号を受信すると、直ちに動きが止められることをさらに含む。
【００６０】
この実施例において、使用中において、引出アセンブリによる運動過程において、ユーザが以前に入れた食材が間違っていることに気付いている時、ボタンを押すことができ、マイクロコントローラは現在の引出２０４４がまだ稼働していると判断するとともに、第１微動スイッチ２１０８及び第２微動スイッチ２１１０がタッチされていなく、直ちに稼働を停止させるようにプッシュアセンブリ２０６２を制御して、次の指令を待つ。ユーザ体験もユーザ使用の安全性も強化される。
【００６１】
以上のように、図面に合わせて本発明の技術案を詳しく説明した。本発明は、新たな引出型電子レンジ及びその開閉扉制御方法を提出しており、キャビティアセンブリの内部には、引出アセンブリとキャビティアセンブリを分離または合併させるように、引出アセンブリを押動するプッシュアセンブリが設けられるとともに、マイクロプロセッサに繋がれる制御パネルも設けられる一方、ユーザが一つのボタンだけを操作することで、自動開閉の機能も実現される一方、ユーザの安全を保証するために引出アセンブリを開閉する過程中において、もしユーザが直ちに停止したい場合、ボタンだけを押すことで、引出アセンブリの操作を停止させる制御が実現される。
【００６２】
本明細書の説明において、「第１」、「第２」という用語は、説明の目的で用いられるものであり、相対的な重要性を示しているまたは暗示していると解釈されるべきではない。「接続」、「取付」、「固定」等という用語は、いずれも広く理解されるべきであり、例えば、「接続」は、固定接続であっても取り外し可能な接続であってもよく、又は一体的に接続である。「接続」は、直接的に繋げられてもよく、中間媒体を介して間接的に繋げられてもよい。当業者にとって、具体的な状況によって本発明における上記用語の具体的な意味を理解することができる。
【００６３】
本明細書の説明において、「一実施形態」などの記述は、この実施例または例示に合わせて説明された具体的な特徴、構造、材料または特性が本発明の少なくとも一つの実施例又は例示に含まれることを意味する。本明細書では、上記用語に対する概略的な説明は、必ずしも同一実施例または例示を示しているわけではない。さらに、説明した具体的な特徴、構造、材料、または特性は、任意の１つまたは複数の実施例または例示において適切な方法で組み合わせることができる。
【００６４】
以上は、本発明の好適な実施例に過ぎず、本発明を限定するものではない。当業者であれば、本発明に様々な修正や変更が可能である。本発明の精神や原則内での任意の修正、均等な置換、改良などは、本発明の範囲内に含まれる。
【図１】
2019529858.tif 000005
【図２】
2019529858.tif 000006
【図３】
2019529858.tif 000007
【図４】
2019529858.tif 000008
【図５】
2019529858.tif 000009
【国際調査報告】
2019529858.tif 000010
2019529858.tif 000011
2019529858.tif 000012
2019529858.tif 000013
2019529858.tif 000014
2019529858.tif 000015